(57)【要約】【課題】光源ユニットの出射面と、電飾フィルムとの面積の相違に起因する表示面内における輝度ムラを低減する。【解決手段】電飾看板（１０）は、導光板（３５）を有するバックライトユニット（３０）と、裏面が上記導光板の出射面と対向し表面にフィルム（１）を貼付可能な乳半板（１５）と、上記乳半板の裏面において上記導光板の出射面と対向する領域以外の領域と対向する反射面を有する反射シート（１４ａ）とを備える。【選択図】図１
2015102573.tif 000002
【特許請求の範囲】
【請求項１】
導光板を有する光源ユニットと、
裏面が上記導光板の出射面と対向し、表面に電飾フィルムを貼付可能な乳半板と、
上記乳半板の裏面において上記導光板の出射面と対向する領域以外の領域と対向する反射面を有する反射体と、を備えている、ことを特徴とする電飾看板。
【請求項２】
上記導光板の出射面は、上記乳半板の裏面の中心部と対向し、
上記反射体の反射面は、上記乳半板の裏面の周辺部と対向する、
ことを特徴とする請求項１に記載の電飾看板。
【請求項３】
上記反射体の反射面は、その法線ベクトルの上記出射面への正射影が当該出射面の中心に向かう成分を有するように傾斜又は湾曲している、
ことを特徴とする請求項２に記載の電飾看板。
【請求項４】
上記導光板と並置された他の導光板を有する他の光源ユニットを更に備えており、
上記乳半板の裏面は、上記導光板の出射面である第１出射面及び上記他の導光板の出射面である第２出射面の両方と対向し、
上記反射体の反射面は、上記導光板と上記他の導光板との間隙を上記乳半板側から覆う、
ことを特徴とする請求項１に記載の電飾看板。
【請求項５】
上記反射体の反射面は、その法線ベクトルの上記第１出射面への正射影が当該第１出射面の中心に向かう成分を有するように傾斜又は湾曲した第１反射面と、その法線ベクトルの上記第２出射面への正射影が当該第２出射面の中心に向かう成分を有するように傾斜又は湾曲した第２反射面とにより構成されている、
ことを特徴とする請求項４に記載の電飾看板。
【請求項６】
上記光源ユニットは、液晶ディスプレイ用のバックライトユニットである、
ことを特徴とする請求項１〜５の何れか１項に記載の電飾看板。
【発明の詳細な説明】
【技術分野】
【０００１】
本発明は、電飾看板に関する。
【背景技術】
【０００２】
液晶テレビなどとして使用される液晶表示装置には、液晶表示パネルを照明するバックライトユニットが用いられている。
【０００３】
特許文献１に記載されたバックライトユニットでは、液晶表示パネルより管長が短く、相対的に管長が長い複数の冷陰極蛍光ランプと、相対的に管長が短い複数の冷陰極蛍光ランプとを、行方向及び列方向に交互に配している。または、管長が同じ複数の冷陰極蛍光ランプを、表示画面の中央部に位置する端部間の列方向の距離が、表示画面の周辺部に位置する端部間の列方向の距離より小さくなるように行方向及び列方向に並べる。または、表示画面の中央部に位置する行方向の上記端部間の隙間であって、当該複数の冷陰極蛍光ランプと同じ高さに反射シートを配する。これにより、バックライトユニットの光源に液晶表示パネルより管長が短い冷陰極蛍光ランプを用いた場合において、表示画面における輝度の均一性を確保することができるとされている。
【０００４】
近年、電飾看板（コルトン看板とも称される）の光源として、液晶テレビのバックライトユニットと同様の構成を採用することが検討されている。電飾看板は、ボックス内に光源を配置し、表示に広告等のフィルムを配置して夜間でも宣伝できるようにした看板である。電飾看板の光源として、冷陰極蛍光ランプを用いたバックライトユニットだけでなく、冷陰極蛍光ランプではなくＬＥＤ（発光ダイオード）を用いたバックライトユニットの構成を採用してもよい。
【０００５】
例えば、液晶テレビの構成のうち、液晶表示パネルや、キャビネット等を除く、バックライトシャーシ、反射シート、ＬＥＤ基板（ＬＥＤを用いる場合）、導光板などからなるバックライトユニットを電飾看板の光源として採用することができる。
【０００６】
液晶テレビに使用されているバックライトユニットは面光源として、面内における輝度の均一性が高く、電飾看板用の光源としても最適である。
【先行技術文献】
【特許文献】
【０００７】
【特許文献１】特開２００７‐２９８５９６号公報（２００７年１１月１５日公開）
【発明の概要】
【発明が解決しようとする課題】
【０００８】
しかし、液晶テレビに使用されるバックライトユニットを電飾看板の光源として採用する場合、バックライトユニットのうち面光源としての発光部と、看板とのサイズが合わない場合がある。例えば、看板より、光源としての面積が小さいサイズのバックライトユニットを用いると、当該バックライトユニットより外側の看板の周囲の端部の輝度が小さくなるため、看板面内において輝度ムラが生じるという問題が生じる。特許文献１に記載された冷陰極蛍光ランプの配置等をそのまま適用して、上記問題を解決することはできない。
【０００９】
本発明は、上記の問題点を解決するためになされたもので、その目的は、光源ユニットの出射面と、電飾フィルムとの面積の相違に起因する表示面内における輝度ムラを低減す
ることである。
【課題を解決するための手段】
【００１０】
上記の課題を解決するために、本発明の一態様に係る電飾看板は、導光板を有する光源ユニットと、裏面が上記導光板の出射面と対向し、表面に電飾フィルムを貼付可能な乳半板と、上記乳半板の裏面において上記導光板の出射面と対向する領域以外の領域と対向する反射面を有する反射体とを備えている。
【００１１】
なお、本発明は、乳半板の表面に既に電飾フィルムが貼付された電飾看板、及び、乳半板の表面に未だ電飾フィルムが貼付されていない電飾看板の双方を、その範疇に含む。
【発明の効果】
【００１２】
本発明の一態様によれば、光源ユニットの出射面と、電飾フィルムとの面積の相違に起因する表示面内における輝度ムラを低減することができるという効果を奏する。
【図面の簡単な説明】
【００１３】
【図１】実施形態１に係る電飾看板の要部を表す断面図である。
【図２】実施形態１に係る電飾看板の構成を表す正面図である。
【図３】実施形態２に係る電飾看板の要部構成を表す断面図である。
【図４】実施形態１に係る電飾看板の外観を模式的に示す斜視図である。
【図５】実施形態１に係る電飾看板の外観を模式的に示す正面図である。
【図６】実施形態１に係る電飾看板の外観を模式的に示す背面図である。
【図７】実施形態１に係る電飾看板の内部構成を模式的に示す分解図である。
【図８】実施形態１に係る電飾看板のバックライトユニットの構成を模式的に示す分解図である。
【図９】従来技術に係る一バックライトユニットを有する電飾看板の構成を表す正面図である。
【図１０】図９に示す電飾看板における周辺部の断面図である。
【図１１】実施形態１に係る電飾看板と、比較例に係る電飾看板との端部における輝度を比較した図である。
【図１２】従来技術に係る複数のバックライトユニットを有する電飾看板の正面図である。
【図１３】図１２に示す電飾看板の要部構成を表す断面図である。
【図１４】実施形態３に係る電飾看板の構成を表す正面図である。
【図１５】実施形態３に係る電飾看板の要部を表す断面図である。
【図１６】電飾看板の表示面における位置と明るさとの関係を表す図である。
【図１７】反射シートの幅と、乳半板及び導光板間の距離Ｌと、２つのバックライトユニット間の継ぎ目の見え方との関係を表す図である。
【図１８】実施形態４に係る電飾看板の構成を表す要部断面図である。
【図１９】実施形態５に係る電飾看板の構成を表す要部断面図である。
【図２０】実施形態６に係る電飾看板の構成を表す要部断面図である。
【図２１】実施形態７に係る電飾看板の構成を表す要部断面図である。
【図２２】反射シート支持部に配する反射体の形状に違いによる電飾看板の表示面の明るさの違いを比較した図である。
【図２３】実施形態８に係る電飾看板の構成を表す要部断面図である。
【図２４】実施形態９に係る電飾看板の構成を表す要部断面図である。
【図２５】実施形態１０に係る電飾看板の構成を表す要部断面図である。
【図２６】実施形態１１に係る電飾看板の構成を表す要部断面図である。
【図２７】実施形態１２に係る電飾看板の構成を表す要部断面図である。
【図２８】実施形態１２に係る電飾看板の表示面の中央部近傍の明るさを表す図である。
【図２９】導光板の裏面に反射シートが配された従来のバックライトユニットを備える電飾看板の要部断面図である。
【図３０】実施形態１３に係る電飾看板の構成を表す要部断面図である。
【発明を実施するための形態】
【００１４】
〔実施形態１〕
（電飾看板の概略構成）
以下、本発明の実施形態１について、図１〜図１１を用いて説明する。以下では、全体が四角形の１４０インチサイズの大型の電飾看板について説明するが、本発明はこれに限定されず、サイズ、形状は様々なものを用いることができる。また、説明の便宜上、各実施形態において、他の実施形態にて説明した部材と同じ機能を有する部材については、同じ符号を付記し、その説明を省略する。
【００１５】
図４は、第１の実施形態に係る電飾看板１０の外観を模式的に示す斜視図である。図５は、電飾看板１０の外観を模式的に示す正面図である。図６は、電飾看板１０の外観を模式的に示す背面図である。図７は、電飾看板１０の内部構成を模式的に示す分解図である。図８は、電飾看板１０のバックライトユニット３０の構成を模式的に示す分解図である。
【００１６】
電飾看板１０は、ベース部１１、電源部１２、乳半板・バックライトユニット固定金具１３、バックライトユニット（光源ユニット）３０、反射シート（反射体）１４ａ・反射シート指示部１４ｂ、乳半板１５、乳半板固定金具１６、フィルム固定金具１７、フィルムコーナー固定金具１８、アクリル板１９、および蓋枠２０を備え、乳半板１５とアクリル板１９との間にフィルム（電飾フィルム）１を保持している。すなわち、フィルム１は乳半板１５及びアクリル板１９と接している。フィルム１の大きさは乳半板１５とほぼ同じである。なお、図５では、アクリル板１９および蓋枠２０を示しておらず、図７では、蓋枠２０を示していない。
【００１７】
バックライトユニット３０は、バックライトシャーシ３１、反射シート３２、ＬＥＤ基板（光源、ＬＥＤ光源）３３、ミドルシャーシ３４および導光板３５を備えている。
【００１８】
ベース部１１は、電飾看板１０を壁面に取り付けるための土台となる金具である。乳半板・バックライトユニット固定金具１３は、乳半板１５及びバックライトユニット３０を保持し、乳半板１５と、バックライトユニット３０とをベース部１１に取り付けるための金具であり、バックライトユニット３０に応じた形状を有している。乳半板・バックライトユニット固定金具１３はバックライトユニット３０及び乳半板１５の周囲方向に延設している。乳半板・バックライトユニット固定金具１３は、バックライトユニット３０の主として底面（ベース部１１側の面）の外周部分とビス止めされるとともに（図６参照）、ベース部１１に対してビス止めされている。
【００１９】
バックライトユニット３０は、ＬＥＤ基板３３が出射した光が導光板３５に入射し、導光板３５から出射された光が、乳半板１５の略全面を照射するように構成されている。すなわち、バックライトユニット３０では、導光板３５が、最も乳半板１５側に配置されている。バックライトユニット３０は、例えば、液晶テレビのバックライト部分を流用することができる。詳細には、液晶テレビにおけるバックライトシャーシ、ミドルシャーシ、導光板、反射シート、ＬＥＤ基板、放熱板等をそのまま使用することができる。但し、光学シートおよび液晶パネルについては流用の必要がない。なお、光源としてＬＥＤ基板３３を用いることにより、長寿命を実現し、輝度ムラを小さくし、輝度を大きくすることができる。また、バックライトユニット３０において、ＬＥＤ基板３３に換えて、一又は複
数の冷陰極蛍光ランプを用いてもよい。
【００２０】
ここで、液晶テレビのバックライトユニットを電飾看板の光源に流用する場合、必ずしも電飾フィルムの面積と同じ面積の発光面を有するバックライトユニットを用意できるとは限らない。
【００２１】
本実施の形態においても、バックライトユニット３０は、乳半板１５やフィルム１より面積が小さい。一例として、バックライトユニット３０の面積は乳半板１５の面積の８５％程度である。このため、後述するように、バックライトユニット３０と、乳半板・バックライトユニット固定金具１３のうち、乳半板１５を保持するために起立する側部との間には隙間が生じる。
【００２２】
電源部（電源基板）１２は、電飾看板特有の回路であり、簡単なスイッチを介して商用電源が供給されており、ＬＥＤ基板３３に電力を供給する回路である。電源部１２は、バックライトシャーシ３１のベース部１１側に配設されている。言い換えれば、電源部１２は、バックライトユニット３０に固定されており、乳半板・バックライトユニット固定金具１３によって保持されている。
【００２３】
また、図示しない調光回路（調光基板）も配設されている。調光回路は、周囲の明るさを検出する回路であり、光の検出が可能な位置（例えば、バックライトユニット３０）に配置されている。
【００２４】
反射シート１４ａ・反射シート支持部１４ｂは、バックライトユニット３０の周囲の縁に沿うと共に、バックライトユニット３０と、乳半板・バックライトユニット固定金具１３の側部であり、乳半板１５を保持するために起立する起立部との間の隙間部分に配されている。反射シート１４ａは、乳半板１５の裏面において導光板３５の出射面と対向する領域以外の領域と対向する反射面を有する板状部材である。反射シート支持部１４ｂは反射シート１４ａを支持するものである。この反射シート１４ａ・反射シート支持部１４ｂの配置については図１等を用いて後述する。
【００２５】
乳半板１５は、裏面が導光板３５の出射面と対向し、表面にフィルム１を貼付可能な乳白色の半透明板である。この乳半板１５の表面にフィルム１が貼付けられる。乳半板１５は、電飾看板特有の拡散板である。但し、広告の種類に応じて、乳白色に換えて他の色の半透明または透明の拡散板を用いてもよい。拡散板一般は、例えば、光散乱微粒子をポリマー中に分散させることにより形成することができる。
【００２６】
また、乳半板固定金具１６は、乳半板１５をバックライトシャーシ３１に固定する金具であり、乳半板１５の四辺を掛止するように設けられている。乳半板固定金具１６は、乳半板・バックライトユニット固定金具１３に固定される。図７に示す例では、乳半板・バックライトユニット固定金具１３の短辺側の２つの起立部が乳半板１５及びバックライトユニット３０の２つの短辺を支持する構成となっている。
【００２７】
フィルム１は、広告等が描画されたフィルムであり、これに光が照射されることによって、電飾看板１０は広告等を表示する。フィルム固定金具１７は、フィルム１を乳半板１５上に固定する金具であり、乳半板・バックライトユニット固定金具１３の上辺に設けられている。フィルムコーナー固定金具１８は、フィルム１の四隅を掛止して、フィルム１のめくれを防止する金具である。
【００２８】
アクリル板１９は、透明の保護板であり、蓋枠２０に取り付けられている。
【００２９】
（電飾看板１０の要部構成）
次に、図１、図２を用い、電飾看板１０の要部の構成について説明する。
【００３０】
図１は第１の実施形態に係る電飾看板１０の要部を表す断面図である。図２は第１の実施形態に係る電飾看板１０を表す正面図である。なお、図２ではフィルム１、乳半板１５、アクリル板１９および蓋枠２０は示していない。
【００３１】
バックライトユニット３０において、導光板３５と、バックライトシャーシ３１との間には導光板スペーサ３６が配されている。なお、図１では、導光板３５の裏面全面に配されている反射シート３２の記載を省略している。
【００３２】
バックライトユニット３０を、バックライトユニット３０よりも一回り大きな電飾看板１０へ適用する場合、乳半板１５の面積より小さな領域にバックライトユニット３０が配置されることになる。
【００３３】
このため、バックライトユニット３０の外側端部から、乳半板・バックライトユニット固定金具１３の側部であり、乳半板１５を保持するために起立する起立部との間に隙間が形成されることになる。乳半板１５、フィルム１、およびアクリル板１９の面積も、導光板３５の面積より大きい。
【００３４】
反射シート１４ａは、このバックライトユニット３０の外側端部と、乳半板・バックライトユニット固定金具１３の上記起立部との間の隙間を覆うように配されている。
【００３５】
バックライトシャーシ３１の側部は、導光板３５の側面と対向するように起立する起立部となっている。
【００３６】
ミドルシャーシ３４は、バックライトシャーシ３１の上記起立部の頭頂部に嵌合して配されている。ミドルシャーシ３４は、バックライトシャーシ３１の上記起立部と嵌合する嵌合部から内側（導光板３５が配されている側）へ屈曲している。ミドルシャーシ３４の上記屈曲部は、導光板３５の主面のうちの周辺部と接触し、導光板３５の周辺部を上方側（乳半板１５が配されている側）から保持する。
【００３７】
反射シート支持部１４ｂは、反射シート１４ａが表面に配されている支持台と、当該支持台の裏面から下方に突出する脚部とを有している。当該脚部は、バックライトシャーシ３１の上記起立部の外側面に、直接、又はミドルシャーシ３４の上記嵌合部を介して、ビス等により固定されている。
【００３８】
反射シート支持部１４ｂの上記支持台は、板状の部材であり、上記脚部の頭頂部に設けられている。反射シート支持部１４ｂの上記支持台は、ミドルシャーシ３４の上記屈曲部の上面と接触し、ミドルシャーシ３４を覆うと共に、ミドルシャーシ３４と、乳半板・バックライトユニット固定金具１３の上記起立部との隙間をほぼ覆うように配されている。
【００３９】
反射シート１４ａは乳半板１５と対向配置されている。反射シート１４ａの外側の辺は、乳半板１５の対応する辺より若干内側に位置する。すなわち、反射シート１４ａの外形は、乳半板１５の外形より若干小さい。
【００４０】
反射シート１４ａの外形は乳半板１５を支持する乳半板・バックライトユニット固定金具１３の上記起立部の内側に沿った大きさである。換言すると、反射シート１４ａは、反射シート支持部１４ｂの上記支持台の表面のほぼ全面に配されることで、ミドルシャーシ３４を覆うと共に、ミドルシャーシ３４と、乳半板・バックライトユニット固定金具１３
の上記起立部との隙間をほぼ覆うように配されている。
【００４１】
（電飾看板１０の主な利点）
次に、図１〜図３、図９〜図１１を用い、反射シート１４ａを設けた電飾看板１０の主な利点について説明する。
【００４２】
まず、比較例として、図９、図１０を用い、反射シート１４ａを有さない従来の電飾看板１１０について説明する。図９は、従来技術に係る一バックライトユニット１３０を有する電飾看板１１０の構成を表す正面図である。図１０は、図９に示す電飾看板１１０における周辺部の断面図である。
【００４３】
電飾看板１１０は、本実施形態に係る電飾看板１０から反射シート１４ａ及び反射シート支持部１４ｂを除いた構成である。電飾看板１１０は、ベース部１１１、乳半板・バックライトユニット固定金具１１３、バックライトユニット１３０、乳半板１１５、乳半板固定金具１１６、アクリル板１１９、および蓋枠１２０を備え、乳半板１１５とアクリル板１１９との間にフィルム１０１を保持している。バックライトユニット１３０は、バックライトシャーシ１３１、ミドルシャーシ１３４および導光板１３５を備えている。導光板１３５と、バックライトシャーシ１３１との間には導光板スペーサ１３６が配されている。
【００４４】
電飾看板１１０は、バックライトユニット１３０よりも一回り大きな電飾看板である。このため、乳半板１１５の面積より小さな領域にバックライトユニット１３０が配置され、バックライトユニット１３０の外側端部から、乳半板・バックライトユニット固定金具１１３の側部であり、乳半板１１５を保持するために起立する起立部との間に隙間Ｄ０が形成されることになる。乳半板１１５、フィルム１０１、およびアクリル板１１９の面積も、導光板１３５の面積より大きい。
【００４５】
この隙間Ｄ０部分は、相対的に、導光板１３５が乳半板１１５と対向する領域と比べて輝度が低下する。この結果、電飾看板１１０における面内の輝度ムラが生じ、看板の表示品位が低下することとなる。
【００４６】
導光板１３５からの光は、概ね導光板１３５の主面部分（出射面）から乳半板１１５方向に照射される。導光板１３５の周辺部にはミドルシャーシ１３４が配され、導光板１３５を保持している。導光板１３５のち、ミドルシャーシ１３４に覆われた上記周辺部は、導光板１３５からの光を遮断する。また、バックライトユニット１３０の外側の隙間Ｄ０の領域は、光を発しない領域である。導光板１３５からの光の一部が乳半板１１５で反射し、ミドルシャーシ１３４に当たっても、光は反射しない。そのため、ミドルシャーシ１３４や、バックライトユニット１３０の外側の隙間Ｄ０の領域に対応する部分は、フィルム１０１や乳半板１１５側からみて、輝度が著しく下がることになる。
【００４７】
そこで、電飾看板１０では、裏面が導光板３５の出射面と対向し、表面にフィルム１が貼付された乳半板１５と、乳半板１５の裏面において導光板３５の出射面と対向する領域以外の領域と対向する反射面を有する反射シート１４ａと、を備えている。なお、乳半板１５の裏面とは、乳半板１５のうち導光板３５と対向する側の面である。また、導光板３５の出射面とは、導光板３５のうち、主面においてミドルシャーシ３４の上記屈曲部に覆われている周辺部以外の領域のことである。
【００４８】
これにより、導光板３５の出射面から出射した光のうち、乳半板１５の裏面で反射した光は、反射シート１４ａで反射し、再び乳半板１５に向かうことになる。このため、乳半板１５の裏面において導光板３５の出射面と対向する領域以外の領域における輝度低下を
防止することができる。この結果、バックライトユニット３０の導光板３５の出射面と、フィルム１との面積が相違しても、当該相違に起因する電飾看板１０の面内における輝度ムラを低減することができる。
【００４９】
具体的には、乳半板１５の裏面のうち、ミドルシャーシ３４が配されている領域やバックライトユニット３０の外側の領域と対応する部分を周辺部とし、当該周辺部に囲まれた内側部分を中心部とすると、導光板３５の出射面は乳半板１５の裏面の中心部と対向し、反射シート１４ａは乳半板１５の裏面の周辺部と対向している。
【００５０】
このため、ミドルシャーシ３４が配されている領域やバックライトユニット３０の外側の領域と対向する領域等、乳半板１５の裏面のうち周辺部における輝度低下を防止することができる。この結果、電飾看板１０における面内の輝度ムラを防止することができる。
【００５１】
また、バックライトユニット３０として、液晶テレビに使用されるバックライトユニットを用いることで、既存設備を有効利用することができるため、製造コストを抑えることができる。
【００５２】
図１１は、本実施の形態に係る電飾看板１０と、比較例に係る電飾看板１１０との端部における輝度を比較した図である。図１１において、横軸は電飾看板１０・１１０における面内位置を表し、縦軸は輝度を表す。図１１において、「導光板内側」は導光板３５・１３５の出射面と対応する領域を表し、「導光板外側」は導光板３５・１３５の出射面の外側の領域を表す。乳半板と、導光板との距離をＬとしたとき、Ｌ＝１００ｍｍとした。また、図１１において、実線で表す反射シート「有」のグラフは電飾看板１０の輝度を表し、破線で表す反射シート「無」のグラフは電飾看板１１０の輝度を表している。
【００５３】
図１１に示すように、反射シート１４ａを設けている電飾看板１０の方が、電飾看板１１０より、導光板の出斜面端部での輝度低下が防止されていることが分かる。
【００５４】
なお、電飾看板１０における輝度の面内位置依存性は、乳半板１５の透明度や厚み等にも依存する。したがって、図１１に示すグラフは、電飾看板１０における輝度の面内位置依存性の一例として理解されるべきものである。後述する各種グラフ（図１６、１７、２２、２８）についても、同様である。
【００５５】
〔実施形態２〕
図３は、実施形態２に係る電飾看板１０Ａの要部構成を表す断面図である。図３に示す電飾看板１０Ａは、電飾看板１０が備える反射シート１４ａに換えて、反射シート１４ｃを有する点で電飾看板１０と相違する。電飾看板１０Ａの他の構成は、電飾看板１０と同様である。
【００５６】
反射シート１４ｃは反射シート支持部１４ｂに配されている。反射シート１４ｃは、延伸方向と垂直な方向に切った断面が三角形状となる形状である。反射シート１４ｃの反射面は、上記断面の三角形の斜面を構成する。または、反射シート１４ｃの反射面は平面でなくてもよく、湾曲していてもよい。換言すると、反射シート１４ｃの反射面は、その法線ベクトルの、導光板３５の出射面への正射影が当該出射面の中心に向かう成分を有するように傾斜又は湾曲している。
【００５７】
これにより、反射シート１４ｃの反射面で反射させる光を、より効率的に乳半板１５側へ反射させることができる。このため、より、面内の輝度ムラが抑制された電飾看板１０Ａを得ることができる。
【００５８】
〔実施形態３〕
図１２〜図１５を用いて、実施形態３について説明する。図１２は、従来技術に係る複数のバックライトユニット１３０Ａ・１３０Ｂを有する電飾看板２１０の正面図である。図１３は、図１２に示す電飾看板２１０の要部構成を表す断面図である。
【００５９】
まず、図１２及び図１３を用い、液晶テレビに用いられるバックライトユニットを複数、電飾看板の光源として使用する場合の課題について説明する。
【００６０】
図１２、図１３に示すように、電飾看板２１０は、図９及び図１０に示した電飾看板１１０と、バックライトユニット１３０に換えて、互いに接続された２個のバックライトユニット１３０Ａ・１３０Ｂを備えている点で相違する。電飾看板２１０の他の構成は電飾看板１１０と同様である。
【００６１】
バックライトユニット１３０Ａは、バックライトシャーシ１３１Ａ、ミドルシャーシ１３４Ａ、導光板１３５Ａ及び導光板スペーサ１３６Ａを備えている。バックライトユニット１３０Ｂは、バックライトシャーシ１３１Ｂ、ミドルシャーシ１３４Ｂ、導光板１３５Ｂ、導光板スペーサ１３６Ｂを備えている。
【００６２】
バックライトユニット１３０Ａ・１３０Ｂは、乳半板１１５の裏面の下方中心部分で、互いの外側側面同士が接触し、バックライトシャーシ１３１Ａ・１３１Ｂの底面側からバックライト固定金具１４５がビス止めされることで固定されている。
【００６３】
電飾看板２１０によると、バックライトユニット１３０Ａ・１３０Ｂを接続しているため、表示面の中央部分で互いに接触するミドルシャーシ１３４Ａ・１３４Ｂの幅である間隙ｄ０分だけ、導光板１３５Ａと導光板１３５Ｂとに間隙ｄ０が形成されることになる。この表示面の中央部分に間隙ｄ０のミドルシャーシ１３４Ａ・１３４Ｂが配されることに起因して表示面の中央部分に輝度が他の領域より低く、ミドルシャーシ１３４Ａ・１３４Ｂの延伸方向に延びる暗いラインができてしまう。この暗いラインは表示面の中央部分に形成されるため、特に表示品位として問題である。
【００６４】
図１４は第３の実施形態に係る電飾看板４０の構成を表す正面図である。図１５は第３の実施形態に係る電飾看板４０の要部を表す断面図である。図１４は第３の実施形態に係る電飾看板４０の構成を表す正面図である。図１５は第３の実施形態に係る電飾看板４０の要部を表す断面図である。
【００６５】
図１４、図１５に示すように、電飾看板４０は、図１及び図２に示した電飾看板１０と、バックライトユニット３０に換えて、互いに接続された２個のバックライトユニット３０Ａ・３０Ｂを備えている点で相違する。電飾看板４０の他の構成は電飾看板１０と同様である。
【００６６】
バックライトユニット３０Ａは、バックライトシャーシ３１Ａ、ミドルシャーシ３４Ａ、導光板３５Ａ及び導光板スペーサ３６Ａを備えている。バックライトユニット３０Ｂは、バックライトシャーシ３１Ｂ、ミドルシャーシ３４Ｂ、導光板３５Ｂ、導光板スペーサ３６Ｂを備えている。バックライトユニット３０Ａと、バックライトユニット３０Ｂとのそれぞれは、バックライトユニット３０よりサイズが小さいものであり、一例として、それぞれ７０インチサイズの液晶テレビに用いられるバックライトユニットである。バックライトユニット３０Ａ・３０Ｂそれぞれの構造自体はバックライトユニット３０と同様である。
【００６７】
バックライトユニット３０Ａ・３０Ｂは、乳半板１５の裏面の下方中心部分で、互いの
外側側面同士が接触し、互いに対向配置されたバックライトシャーシ３１Ａ・３１Ｂの底面側からバックライト固定金具４５がビス止めされることで固定されている。
【００６８】
そして、電飾看板４０では、反射シート４３と、当該反射シート４３を電飾看板４０に取り付けるための板状の反射シート支持部４４とを備える。
【００６９】
反射シート支持部４４は、表示面の中央部に配されたミドルシャーシ３４Ａ・３４Ｂの延伸方向に沿って、表示面の中央部に配されたミドルシャーシ３４Ａ・３４Ｂを覆って配されている。反射シート支持部４４の両端部は乳半板・バックライトユニット固定金具１３と接続されている。反射シート支持部４４の材質は、金属であってもよいし樹脂であってもよい。
【００７０】
反射シート４３は、反射シート支持部４４の表面（乳半板１５に近い側の面）に配されている。反射シート４３は、２つのバックライトユニット３０Ａ・３０Ｂが互いに接する辺の、導光板３５Ａ・３５Ｂから光が出射されない領域に配置されている。具体的には、反射シート４３はミドルシャーシ３４Ａ・３４Ｂそれぞれの表面と、両方のミドルシャーシ３４Ａ・３４Ｂの間を含む領域を覆って配されている。反射シート４３は、表示面の中央部に配されたミドルシャーシ３４Ａ・３４Ｂの延伸方向に沿って、表示面の中央部に配されたミドルシャーシ３４Ａ・３４Ｂを覆っている。
【００７１】
また、反射シート支持部４４を電飾看板４０取り付ける別の方法として、板状の反射シート支持部４４裏面に、反射シート支持部４４と同方向に延伸する板状の突起を設け、２つのバックライトユニット３０Ａ・３０Ｂ間の隙間に、上記板状の突起を挿入させて固定してもよい。
【００７２】
電飾看板４０では、バックライトユニット３０Ａ・３０Ｂと、乳半板１５とのスペースは大きく取られている。輝度ムラを拡散によって抑えるためである。
【００７３】
このように、電飾看板４０は、導光板３５Ａを有するバックライトユニット３０Ａと、導光板３５Ａと並置された導光板３５Ｂを有するバックライトユニット３０Ｂとを備えている。そして、乳半板１５の裏面は、導光板３５Ａの出射面（第１出射面）及び導光板３５Ｂの出射面（第２出射面）の両方と対向し、反射シート４３の反射面は、導光板３５Ａの出射面と導光板３５Ｂの出射面との間隙ｄを乳半板１５側から覆う。すなわち、間隙ｄは反射シート４３の幅である。
【００７４】
これにより、導光板３５Ａの出射面及び導光板３５Ｂの出射面それぞれから出射し乳半板１５の裏面で反射した光は、反射シート４３の反射面で反射し、再び乳半板１５へ照射される。このため、表示面の中央部分にミドルシャーシ３４Ａ・３４Ｂが配されていたとしても、導光板３５Ａの出射面と導光板３５Ｂの出射面との間隙ｄ部分が暗くなることを防止することができる。これにより、電飾看板４０の面内の輝度ムラを軽減することができる。
【００７５】
特に、導光板３５Ａの出射面と導光板３５Ｂの出射面との間隙ｄ＝１５ｍｍかつ導光板３５Ａ・３５Ｂと、乳半板１５の裏面との距離Ｌ＝７５ｍｍのとき、または、上記間隙ｄ＝２０ｍｍかつ上記距離Ｌ＝９２ｍｍのとき、または、上記間隙ｄ＝３０ｍｍかつ上記距離Ｌ＝１２４ｍｍのとき、電飾看板４０の面内の輝度ムラは気にならなくなり、特に輝度ムラ改善の効果が高い。なお、上述した上記間隙ｄや上記距離Ｌの数値は一例であり、これらに限定されるものではない。
【００７６】
図１６は、電飾看板の表示面における位置と明るさとの関係を表す図である。図１６に
おいて横軸は電飾看板の表示面における位置を表し、縦軸は電飾看板の表示面の照度または輝度を表す。図１６において、観測データとして示す実線のグラフは、電飾看板２１０の輝度を表し、外挿線として表す破線のグラフは輝度の落ち込みがないと推定した場合に予想される輝度を表す。図１６において、値Ｂは電飾看板２１０における中央部分のミドルシャーシ１３４Ａ・１３４Ｂが配されている領域ｄ０内の輝度を表し、当該輝度と、輝度低下のない理想的な輝度との差を、値Ａで表している。また、図１６において位置０は、図１５に示すバックライトユニット３０Ａとバックライトユニット３０Ｂとの中間の位置０を示す。
【００７７】
図１７は、反射シート４３の幅と、乳半板１５・導光板３５間の距離Ｌと、バックライトユニット３４Ａ・３４Ｂ間の継ぎ目の見え方との関係を表す図である。図１７では、反射シート４３の幅を間隙ｄ（ｍｍ）で表している。
【００７８】
反射シート４３の幅である間隙ｄの５倍程度の距離Ｌを確保すると、中央部分に配されている２本のミドルシャーシに起因する暗いラインは視認されなくなる。このときの条件は、以下の（式１）で表される。
Ｂ／（Ａ＋Ｂ）＞０．９５・・・（式１）
すなわち、Ｂ／（Ａ＋Ｂ）＞０．９５となるように、反射シート４３の幅である間隙ｄや乳半板１５・導光板３５間の距離Ｌを設計すると、電飾看板表示面における中央部分に配された２本のミドルシャーシに起因する暗いラインが視認されることを防止することができる。一方、Ｂ／（Ａ＋Ｂ）＜０．９５であれば、上記暗いラインは視認されてしまう。
【００７９】
なお、暗いラインが視認されるか否かを分ける閾値０．９５は、乳半板１５の透明度や厚み等にも依存する値である。したがって、乳半板１５の透明度や厚み等によっては、Ｂ／（Ａ＋Ｂ）≧０．９５であっても、暗いラインが視認されない望ましい電飾看板１０を実現し得る点に留意されたい。
【００８０】
〔実施形態４〕
図１８は、実施形態４に係る電飾看板５０の構成を表す要部断面図である。
【００８１】
電飾看板５０は、図１４及び図１５に示した電飾看板４０と、反射シート４３に換えて、反射体５４を備えている点で相違する。電飾看板５０の他の構成は、電飾看板４０と同様である。
【００８２】
反射体５４は、反射シート支持部４４の延伸方向に沿って反射シート支持部４４の表面に配されている。
【００８３】
反射体５４は、乳半板１５の裏面側へ突出する凸形状である。反射体５４は、反射シート支持部４４の延伸方向に延伸する三角柱である。反射体５４は、延伸方向に垂直に切った断面が三角形状となる立体的形状を有する。反射体５４のうち頭頂部を構成する２つ斜面が反射体５４の反射面（第１反射面）５４ａ及び反射面（第２反射面）５４ｂである。反射体５４の頭頂部は、乳半板１５の裏面と離間している。なお、反射面５４ａ・５４ｂは、平面ではなく湾曲した形状であってもよい。
【００８４】
このように、反射体５４の反射面５４ａ・５４ｂは、導光板３５Ａの出射面（第１出射面）と導光板場３５Ｂの出射面（第２出射面）との間隙ｄを乳半板１５側から覆う。
【００８５】
さらに、反射体５４の反射面５４ａは、その法線ベクトルの導光板３５Ａの出射面（第１出射面）への正射影が当該導光板３５Ａの出射面の中心に向かう成分を有するように傾
斜又は湾曲している。また反射面５４ｂは、その法線ベクトルの導光板３５Ｂの出射面への正射影が当該導光板３５Ｂの出射面の中心に向かう成分を有するように傾斜又は湾曲している。
【００８６】
上記構成によると、反射体５４は反射面５４ａ・５４ｂにより、反射体５４近傍の光を、より多く乳半板１５の裏面側へと反射させることができる。このため、より面内の輝度ムラが抑制された電飾看板５０を得ることができる。
【００８７】
なお、反射体５４の反射面５４ａ・５４ｂは、少なくとも、導光板３５Ａと導光板３５Ｂとの間隙を乳半板１５側から覆う構成であってもよい。これによっても、反射体５４近傍の光を、多く乳半板１５の裏面側へと反射させることができる。
【００８８】
反射シート支持部４４の材質は、金属であってもよいし樹脂であってもよい。特に、反射体５４のように立体形状の反射体を反射シート支持部４４に配する場合、反射シート支持部４４として、その形状に応じた樹脂成型の支持部を用いると好適である。
【００８９】
図２２は、反射シート支持部４４に配する反射体の形状に違いによる電飾看板の表示面の明るさの違いを比較した図である。図２２において、横軸は電飾看板の表示面における位置を表し、０ｃｍの位置は、両バックライトユニット３０Ａ・３０Ｂの間の中心の位置０（図１５参照）を示す。図２２において縦軸は相対照度を表す。導光板３５Ａと、乳半板１５の裏面との距離Ｌは４４ｍｍとしている。図２２において、「反射シート（平置き）」として実線で示すグラフは板状の反射シート４３を反射シート支持部４４に配したときの電飾看板の表示面の明るさを表し、「三角柱３４ｍｍ」として一点破線で示すグラフは高さ（反射シート支持部４４表面から乳半板１５の方向への距離）が３４ｍｍの反射体５４を反射シート支持部４４に配したときの電飾看板の表示面の明るさを表し、「三角柱６６ｍｍ」として破線で示すグラフは高さが６６ｍｍの反射体５４を反射シート支持部４４に配したときの電飾看板の表示面の明るさを表している。図２２に示すように、板状の反射シート４３を用いた場合と比べて、三角柱の反射体５４を用いた方が、位置０の位置での明るさの低下が抑制されていることが分かる。さらに、三角柱の反射体５４の高さが高い方が、位置０の位置での明るさの低下が、さらに抑制されていることが分かる。
【００９０】
〔実施形態５〕
図１９は、実施形態５に係る電飾看板５１の構成を表す要部断面図である。
【００９１】
電飾看板５１は、図１８に示した電飾看板５０と、反射体５４に換えて、反射体５５を備えている点で相違する。電飾看板５１の他の構成は、電飾看板５０と同様である。
【００９２】
反射体５５は、反射体５４より高さが高い凸形状を有する点のみが反射体５４と相違する。反射体５５は反射シート支持部４４の延伸方向に沿って反射シート支持部４４の表面に配されている。
【００９３】
反射体５５は、反射シート支持部４４の延伸方向に延伸する三角柱である。反射体５５は、延伸方向に垂直に切った断面が三角形状となる立体的形状を有する。反射体５５のうち頭頂部を構成する２つ斜面が反射体５５の反射面（第１反射面）５５ａ及び反射面（第２反射面）５５ｂである。反射体５５の頭頂部は、乳半板１５の裏面と接触しているか、近接している。なお、反射面５５ａ・５５ｂは、平面ではなく湾曲した形状であってもよい。
【００９４】
このように、反射体５５の反射面５５ａ・５５ｂは、導光板３５Ａの出射面（第１出射面）と導光板場３５Ｂの出射面（第２出射面）との間隙ｄを乳半板１５側から覆う。
【００９５】
さらに、反射体５５の反射面５５ａは、その法線ベクトルの導光板３５Ａの出射面（第１出射面）への正射影が当該導光板３５Ａの出射面の中心に向かう成分を有するように傾斜又は湾曲している。また反射面５５ｂは、その法線ベクトルの導光板３５Ｂの出射面への正射影が当該導光板３５Ｂの出射面の中心に向かう成分を有するように傾斜又は湾曲している。
【００９６】
上記構成によると、反射体５５は反射面５５ａ・５５ｂにより、反射体５５近傍の光を、より多く乳半板１５の裏面側へと反射させることができる。このため、より面内の輝度ムラが抑制された電飾看板５１を得ることができる。
【００９７】
なお、反射体５５の反射面５５ａ・５５ｂは、少なくとも、導光板３５Ａと導光板３５Ｂとの間隙を乳半板１５側から覆う構成であってもよい。これによっても、反射体５５近傍の光を、多く乳半板１５の裏面側へと反射させることができる。
【００９８】
〔実施形態６〕
図２０は、実施形態６に係る電飾看板５２の構成を表す要部断面図である。
【００９９】
電飾看板５２は、図１８に示した電飾看板５０と、反射体５４に換えて、反射体５６を備えている点で相違する。電飾看板５２の他の構成は、電飾看板５０と同様である。
【０１００】
反射体５６は反射シート支持部４４の延伸方向に沿って反射シート支持部４４の表面に配されている。
【０１０１】
反射体５６は、乳半板１５の裏面側へ突出する凸形状である。反射体５６は、延伸方向に垂直に切った断面が円の一部を構成する形状を有する。反射体５６の上記断面は半円形状であってもよいし、楕円の一部を構成する湾曲形状であってもよいし、放物線の一部を構成する形状であってもよい。
【０１０２】
反射体５６のうち、頭頂部から導光板３５Ａに近い側の湾曲面が反射体５６の反射面（第１反射面）５６ａであり、上記頭頂部から導光板３５Ｂに近い側の湾曲面が反射体５６の反射面（第２反射面）５６ｂである。反射体５６の頭頂部は、乳半板１５の裏面と離間している。
【０１０３】
このように、反射体５６の反射面５６ａ・５６ｂは、導光板３５Ａの出射面（第１出射面）と導光板場３５Ｂの出射面（第２出射面）との間隙ｄを乳半板１５側から覆う。
【０１０４】
さらに、反射体５６の反射面５６ａは、その法線ベクトルの導光板３５Ａの出射面（第１出射面）への正射影が当該導光板３５Ａの出射面の中心に向かう成分を有するように湾曲している。また反射面５６ｂは、その法線ベクトルの導光板３５Ｂの出射面への正射影が当該導光板３５Ｂの出射面の中心に向かう成分を有するように湾曲している。
【０１０５】
上記構成によると、反射体５６は反射面５６ａ・５６ｂにより、反射体５６近傍の光を、より多く乳半板１５の裏面側へと反射させることができる。このため、より面内の輝度ムラが抑制された電飾看板５２を得ることができる。
【０１０６】
なお、反射体５６の反射面５６ａ・５６ｂは、少なくとも、導光板３５Ａと導光板３５Ｂとの間隙を乳半板１５側から覆う構成であってもよい。これによっても、反射体５６近傍の光を、多く乳半板１５の裏面側へと反射させることができる。
【０１０７】
〔実施形態７〕
図２１は、実施形態７に係る電飾看板５３の構成を表す要部断面図である。
【０１０８】
電飾看板５３は、図１８に示した電飾看板５０と、反射シート支持部４４に換えて、反射シート支持部４６を備えている点で相違する。電飾看板５３の他の構成は、電飾看板５０と同様である。
【０１０９】
反射シート支持部４６は、反射体５４が表面に配されている支持台４６ａと、支持台４６ａの裏面から下方に突出する脚部４６ｂとを有している。当該脚部４６ｂは、互いに対向配置されたバックライトシャーシ３１Ａ・３１Ｂのそれぞれの起立部間に、バックライトシャーシ３１Ａ・３１Ｂのそれぞれの起立部と嵌合するミドルシャーシ３４Ａ・３４Ｂそれぞれの嵌合部を介して固定されている。脚部４６ｂは上端部で支持台４６ａを支持し、逆側端部である下端部はバックライト固定金具４５の表面と接触している。
【０１１０】
反射シート支持部４６は、バックライトユニット３０Ａ・３０Ｂの端部の厚さと同じ長さの脚部４６ｂを有し、当該脚部４６ｂがバックライトユニット３０Ａ・３０Ｂ間の間隙に挿入され、バックライトユニット３０Ａ・３０Ｂ間でそれぞれに挟持されて固定されているため、強固に反射体５４を支持することができる。
【０１１１】
〔実施形態８〕
図２３は、実施形態８に係る電飾看板６０の構成を表す要部断面図である。電飾看板６０は、図１４及び図１５に示した電飾看板４０から反射シート４３及び反射シート支持部４４を省略し、バックライトユニット３０Ａ・３０Ｂに換えて、バックライトユニット８０Ａ・８０Ｂを備えている点で、電飾看板４０と相違する。電飾看板６０の他の構成は電飾看板４０と同様である。
【０１１２】
バックライトユニット８０Ａは、バックライトユニット３０Ａのミドルシャーシ３４Ａに換えてミドルシャーシ６６Ａを備えている点でバックライトユニット３０Ａと相違する。バックライトユニット８０Ａの他の構成はバックライトユニット３０Ａと同様である。
【０１１３】
バックライトユニット８０Ｂは、バックライトユニット３０Ｂのミドルシャーシ３４Ｂに換えてミドルシャーシ６６Ｂを備えている点でバックライトユニット３０Ｂと相違する。バックライトユニット８０Ｂの他の構成はバックライトユニット３０Ｂと同様である。
【０１１４】
ミドルシャーシ６６Ａ・６６Ｂは透明又は半透明の材質からなる。ミドルシャーシをバックライトユニットに設けるもともとの目的の一つは、バックライトユニットの周辺からの光漏れ防止である。そこで、導光板３５Ａ・３５Ｂの周辺を覆うミドルシャーシ６６Ａ・６６Ｂを透明又は半透明とすることで、導光板３５Ａ・３５Ｂの端部からの光を活用することができる。すなわち、導光板３５Ａ・３５Ｂからの出射光は、ミドルシャーシ６６Ａ・６６Ｂを透過し乳半板１５を照明する。このため、電飾看板６０によると、表示面の中央部にミドルシャーシ６６Ａ・６６Ｂが配されていたとしても、当該表示面の中央部の輝度低下を抑制することができる。
【０１１５】
〔実施形態９〕
図２４は、実施形態９に係る電飾看板６１の構成を表す要部断面図である。電飾看板６１は、図２３に示した電飾看板６０に光拡散シート６６を設けた点で、電飾看板６０と相違する。電飾看板６１の他の構成は電飾看板６０と同様である。
【０１１６】
光拡散シート６６は、電飾看板６１の表示面の中央部に配されたミドルシャーシ６６Ａ・６６Ｂの延伸方向に沿って、表示面の中央部に配されたミドルシャーシ６６Ａ・６６Ｂ
を覆って配されている。光拡散シート６６の両端部は乳半板・バックライトユニット固定金具１３（図２、図３参照）と接触している。
【０１１７】
このように、透明または半透明のミドルシャーシ６６Ａ・６６Ｂ上に光拡散シート６５を配することで、電飾看板６１の表示面の輝度ムラを軽減することができる。
【０１１８】
ここで、導光板３５Ａ・３５Ｂの周辺部は、光の均一度が低く、ミドルシャーシ６６Ａ・６６Ｂを透過した光の均一度も低い。そのため、ミドルシャーシ６６Ａ・６６Ｂの上に光を拡散する光拡散シート６５を配することで、電飾看板６１の表示面の輝度ムラをさらに軽減できる。
【０１１９】
〔実施形態１０〕
図２５は、実施形態１０に係る電飾看板６２の構成を表す要部断面図である。電飾看板６２は、図２３に示した電飾看板６０からバックライトユニット８０Ａ・８０Ｂに換えて、バックライトユニット８１Ａ・８１Ｂを備えている点で、電飾看板６０と相違する。電飾看板６２の他の構成は電飾看板６０と同様である。
【０１２０】
バックライトユニッ８１Ａは、バックライトユニット８０Ａのミドルシャーシ６６Ａに換えてミドルシャーシ６７Ａを備えている点でバックライトユニット８０Ａと相違する。バックライトユニット８１Ａの他の構成はバックライトユニット８０Ａと同様である。
【０１２１】
バックライトユニット８１Ｂは、バックライトユニット８０Ｂのミドルシャーシ６６Ｂに換えてミドルシャーシ６７Ｂを備えている点でバックライトユニット８０Ｂと相違する。バックライトユニット８１Ｂの他の構成はバックライトユニット８０Ｂと同様である。
【０１２２】
ミドルシャーシ６７Ａの４辺のうち電飾看板６２の表示面の中央部に配される１辺において、バックライトシャーシ３１Ａの側部である起立部と嵌合しているものの、電飾看板６２を平面視したとき、導光板３５Ａと非重畳となる形状である。すなわち、ミドルシャーシ６７Ａの４辺のうち、ミドルシャーシ６７Ｂと隣接する１辺は導光板３５Ａと離間し非接触である。なお、ミドルシャーシ６７Ａの４辺のうち、電飾看板６２の表示面の周辺に沿って配されている残りの３辺においては、一般的なミドルシャーシ同様、導光板３５Ａの周辺部を覆い導光板３５Ａを上方側（乳半板１５が配されている側）から保持する。
【０１２３】
ミドルシャーシ６７Ｂの４辺のうち電飾看板６２の表示面の中央部に配される１辺において、バックライトシャーシ３１Ｂの側部である起立部と嵌合しているものの、電飾看板６２を平面視したとき、導光板３５Ｂと非重畳となる形状である。すなわち、ミドルシャーシ６７Ｂの４辺のうち、ミドルシャーシ６７Ａと隣接する１辺は導光板３５Ｂと離間し非接触である。なお、ミドルシャーシ６７Ｂの４辺のうち、電飾看板６２の表示面の周辺に沿って配されている残りの３辺においては、一般的なミドルシャーシ同様、導光板３５Ｂの周辺部を覆い導光板３５Ｂを上方側（乳半板１５が配されている側）から保持する。
【０１２４】
ミドルシャーシ６７Ａ・６７Ｂは、例えば樹脂などから構成することで透明又は半透明であってもよいし、一般的な液晶テレビ用のバックライトユニットに使用されているような金属から構成されることで透明又は半透明ではなくてもよい。
【０１２５】
ミドルシャーシ６７Ａ・６７Ｂのように、一般的なミドルシャーシのうち、導光板を覆う部分を削除することによって、導光板からの出射光が遮断する領域を狭くすることができる。この結果、表示面の輝度ムラが軽減された電飾看板６２を得ることができる。
【０１２６】
ミドルシャーシ６７Ａ・６７Ｂは、一般的なミドルシャーシから導光板３５Ａ・３５Ｂ
を覆う部分を削除することで得ることができる。この際、バックライトユニット３１Ａ・３１Ｂの製造工程における導光板３５Ａ・３５Ｂを配する工程において、導光板３５Ａ・３５Ｂの位置決めのため、ミドルシャーシ６７Ａ・６７Ｂの角部分（嵌合部からそれぞれ内側へ屈曲する部分）を残すようにしてもよい。
【０１２７】
〔実施形態１１〕
図２６は、実施形態１１に係る電飾看板６３の構成を表す要部断面図である。電飾看板６３は、図２３に示した電飾看板６０からバックライトユニット８０Ａ・８０Ｂに換えて、バックライトユニット８２Ａ・８２Ｂを備えている点で、電飾看板６０と相違する。電飾看板６３の他の構成は電飾看板６０と同様である。
【０１２８】
バックライトユニット８２Ａは、バックライトユニット８０Ａのミドルシャーシ６６Ａの４辺のうち、バックライトユニット８０Ｂのミドルシャーシ６６Ｂと隣接する１辺を省略した構成である。バックライトユニット８２Ｂは、バックライトユニット８０Ｂのミドルシャーシ６６Ｂの４辺のうち、バックライトユニット８０Ａのミドルシャーシ６６Ａと隣接する１辺を省略した構成である。
【０１２９】
すなわち、電飾看板６３は、電飾看板６０のうち表示面の中央部に配されており互いに隣接するミドルシャーシ６６Ａ・６６Ｂの一辺を省略した構成である。
【０１３０】
バックライトユニット８２Ａ・８２Ｂのように、ミドルシャーシ４辺のうち３辺で導光板３５Ａ・３５Ｂ等の部材の固定が十分出来ていれば、ミドルシャーシのうち一辺を省略しても問題はない。電飾看板６３の表示面の中央部にミドルシャーシが配されていないことで、導光板３５Ａ・３５Ｂの端部からの光をすべて乳半板１５側へ出射させることができるため、電飾看板６３の表示面の輝度ムラを軽減することができる。また、上記表示面の光量調節のため、２つのバックライトユニット８２Ａ・８２Ｂの内、一方のバックライトユニットにおけるミドルシャーシの一辺のみを除き、他方のバックライトユニットにおけるミドルシャーシの一辺は残しておいてもよい。
【０１３１】
〔実施形態１２〕
図２７は、実施形態１２に係る電飾看板６４の構成を表す要部断面図である。電飾看板６４は、図２６に示した電飾看板６３からバックライトユニット８２Ａ・８２Ｂに換えて、バックライトユニット８３Ａ・８３Ｂを備えている点で、電飾看板６３と相違する。電飾看板６４の他の構成は電飾看板６３と同様である。
【０１３２】
バックライトユニット８３Ａは、バックライトユニット８２ＡにＬＥＤ光源７０Ａと放熱板７３Ａとを加えた点でバックライトユニット８２Ａと相違する。バックライトユニット８３Ａの他の構成はバックライトユニット８２Ａと同じである。バックライトユニット８３Ｂは、バックライトユニット８２ＢにＬＥＤ光源７０Ｂと放熱板７３Ｂとを加えた点でバックライトユニット８２Ｂと相違する。バックライトユニット８３Ｂの他の構成はバックライトユニット８２Ｂと同じである。
【０１３３】
ＬＥＤ光源７０Ａ・７０ＢはＬＥＤ７２Ａ・７２Ｂと、当該ＬＥＤ７２Ａ・７２が配されている基板７１Ａ・７１Ｂとを備えている。基板７１Ａ・７１Ｂは導光板３５Ａ・３５Ｂの側面の延伸方向に延伸している。ＬＥＤ７２Ａ・７２Ｂは白色光を発光するＬＥＤ素子である。ＬＥＤ７２Ａ・７２Ｂは、導光板３５Ａ・３５Ｂの端面（側面）と対向するように、同端面に沿って複数並んで配されている。
【０１３４】
放熱板７３Ａ・７３Ｂは、Ｌ字型を有しており、バックライトシャーシ３１Ａ・３１Ｂの起立部及び底部の内側面に配されている。放熱板７３Ａ・７３Ｂの表面にＬＥＤ光源７
０Ａ・７０Ｂ及び導光板スペーサ３６Ａ・３６Ｂが配されている。
【０１３５】
このように、電飾看板６４によると、導光板３５Ａ・３５Ｂそれぞれの４つの端面のうち表示面の中央部に配される端面と対向してＬＥＤ光源７０Ａ・７０Ｂが配されている。そして、ＬＥＤ光源７０Ａ・７０Ｂの上方にはミドルシャーシ６６Ａ・６６Ｂが配されていない。
【０１３６】
このため、電飾看板６４の表示面の中央部にミドルシャーシが配されていないことによる輝度ムラ軽減効果に加え、ＬＥＤ光源７０Ａ・７０Ｂから出射される光が乳半板１５の方向へ出射されるため、さらに、電飾看板６４の表示面の輝度ムラを軽減することができる。
【０１３７】
また、ＬＥＤ光源７０Ａ・７０Ｂの裏面であってバックライトシャーシ３１Ａ・３１Ｂと接触して放熱板７３Ａ・７３Ｂが配されているため、ＬＥＤ光源７０Ａ・７０Ｂが発する熱を放熱板７３Ａ・７３Ｂを介してバックライトシャーシ３１Ａ・３１Ｂに発散させることができる。このため、ＬＥＤ光源７０Ａ・７０Ｂの熱による不良発生を防止することができる。
【０１３８】
図２８は、電飾看板６４の表示面の中央部近傍の明るさを表す図である。図２８において、横軸は電飾看板６４の表示面における中央部近傍の位置を表し、縦軸は相対照度を表す。図２８における横軸の０の位置は、バックライトユニット８３Ａと、バックライトユニット８３Ｂとの中心位置である。
【０１３９】
図２８に示すように、電飾看板６４の表示面の中央部近傍の明るさ低下が軽減されていることが分かる。
【０１４０】
また、図２７では、ＬＥＤ光源７０Ａ・７０Ｂは、導光板３５Ａ・３５Ｂそれぞれの４つの端面のうち表示面の中央部に配される端面と対向して配されているものとして説明したが、ＬＥＤ光源７０Ａ・７０Ｂの配置位置は、導光板３５Ａ・３５Ｂそれぞれの４つの端面のうち表示面の中央部に配される端面と対向する位置に限定されるものではない。
【０１４１】
ＬＥＤ光源７０Ａ・７０Ｂは、導光板３５Ａ・３５Ｂそれぞれの４つの端面のうち、表示面の中央部に配される端面ではなく、それ以外の電飾看板６４の表示面の周辺に沿って配されている残りの３つの端面の少なくとも一つの端面と対向するように配されていてもよい。これにより、ＬＥＤ光源７０Ａ・７０Ｂからの出射光は、ＬＥＤ光源７０Ａ・７０Ｂと対向する端面から導光板３５Ａ・３５Ｂ内に入射し、導光板３５Ａ・３５Ｂそれぞれの４つの端面のうち表示面の中央部に配される端面から出射する。これによっても、電飾看板６４の表示面の中央部が暗くなることを軽減することができる。
【０１４２】
なお、この場合も、ＬＥＤ光源７０Ａ・７０Ｂの上方のミドルシャーシ６６Ａ・６６Ｂを省略することで、ＬＥＤ光源７０Ａ・７０Ｂと乳半板１５とが対向配置され、また、ＬＥＤ光源７０Ａ・７０Ｂの裏面であってバックライトシャーシ３１Ａ・３１Ｂと接触するように放熱板７３Ａ・７３Ｂを配してもよい。
【０１４３】
〔実施形態１３〕
図２９は導光板の裏面に反射シートが配された従来のバックライトユニットを備える電飾看板の要部断面図である。
【０１４４】
図３０は、実施形態１３に係る電飾看板６４の構成を表す要部断面図である。
【０１４５】
図２９に示すように、従来の電飾看板１１０が光源として備えるバックライトユニットは、当該バックライトユニット内部であって導光板１３５の裏面全面に反射シート１３２を備えている。導光板１３５からの光は導光板１３５の裏面で反射シート１３２により反射され、導光板１３５の出射面から出射する。しかし、従来の電飾看板１１０では、バックライトユニット外側と対応する表示面の周辺部分が暗くなる。
【０１４６】
図３０に示すように、本実施の形態に係る電飾看板６４は、図１、図２に示した電飾看板１０が備えるバックライトユニット３０に換えてバックライトユニット８４を備え、反射シート１４及び反射シート支持部１４ｂに換えて、反射シート７４及びスペーサ７５を備える点で、電飾看板１０と相違する。電飾看板６４の他の構成は電飾看板１０と同様である。
【０１４７】
バックライトユニット８４は、バックライトユニット３０からミドルシャーシ３４を省略し、バックライトシャーシ３１及び導光板スペーサ３６に換えて、バックライトシャーシ３１ａ及び導光板スペーサ７６を備えている点で、バックライトユニット３０と相違する。バックライトユニット８４の他の構成はバックライトユニット３０と同様である。
【０１４８】
導光板３５の裏面全面には反射シート３２が配されている。
【０１４９】
バックライトシャーシ３１ａは、バックライトシャーシ３１のうち縁部である起立部を省略した構成である。導光板スペーサ７６は反射シート３２とバックライトシャーシ３１ａとの間に配されているスペーサ部と、当該スペーサ部から、乳半板・バックライトユニット固定金具１３の側部である起立部まで延伸する延伸部とを備える。当該延伸部の先端面は、乳半板・バックライトユニット固定金具１３の起立部内面と接触する。
【０１５０】
スペーサ７５は、導光板３５の端面に沿って延伸し、当該延伸方向と垂直に切った断面が三角形となっている。図３０では、上記断面は直角三角形となっている。スペーサ７５は、導光板スペーサ７６の上記スペーサ部表面に配されている。反射シート７４は導光板スペーサ７６の斜面であって、反射シート３２と接触するように配されている。すなわち、反射シート７４は反射シート３２から外側へ延伸するように配されている。
【０１５１】
反射シート７４は導光板３５の外側であって乳半板・バックライトユニット固定金具１３の側部である起立部までの領域を覆うように配されている。
【０１５２】
電飾看板６４によると、導光板３５からの出射光は反射シート７４で乳半板１５の方向へ反射されるため、表示面のうち、導光板３５の外側に対応する周辺部の輝度が低下することを軽減することができる。このため、輝度ムラが軽減された電飾看板６８を得ることができる。
【０１５３】
〔まとめ〕
本発明の態様１に係る電飾看板（１０・１０Ａ・４０・５０・５１・５２）は導光板（３５）を有する光源ユニット（バックライトユニット３０・３０Ａ）と、裏面が上記導光板の出射面と対向し、表面に電飾フィルム（フィルム１）を貼付可能な乳半板（１５）と、上記乳半板の裏面において上記導光板の出射面と対向する領域以外の領域と対向する反射面を有する反射体（反射シート１４ａ・１４ｃ・４３、反射体５４・５５・５６）と、を備えている。
【０１５４】
上記構成によると、上記導光板の出射面から出射した光のうち、上記乳半板の裏面で反射した光は、上記反射体の反射面で反射し、再び乳半板に向かうことになる。このため、乳半板の裏面において導光板の出射面と対向する領域以外の領域における輝度低下を防止
することができる。この結果、上記導光板の出射面と、上記電飾フィルムとの面積が相違しても、当該相違に起因する上記電飾看板の面内における輝度ムラを低減することができる。
【０１５５】
本発明の態様２に係る電飾看板は上記態様１において、上記導光板の出射面は、上記乳半板の裏面の中心部と対向し、上記反射体（反射シート１４ａ・１４ｃ）の反射面は、上記乳半板の裏面の周辺部と対向してもよい。上記構成によると、上記乳半板の裏面のうち上記周辺部における輝度低下を防止することができる。この結果、上記電飾看板における面内の輝度ムラを防止することができる。
【０１５６】
本発明の態様３に係る電飾看板は上記態様２において、上記反射体（反射シート１４ｃ）の反射面は、その法線ベクトルの上記出射面への正射影が当該出射面の中心に向かう成分を有するように傾斜又は湾曲してもよい。上記構成によると、反射体の反射面で反射させる光を、より効率的に、上記乳半板側へ反射させることができる。このため、より、面内の輝度ムラが抑制された電飾看板を得ることができる。
【０１５７】
本発明の態様４に係る電飾看板は上記態様１において、上記導光板（１５Ａ）と並置された他の導光板（１５Ｂ）を有する他の光源ユニット（バックライトユニット３０Ｂ）を更に備えており、上記乳半板の裏面は、上記導光板の出射面である第１出射面及び上記他の導光板の出射面である第２出射面の両方と対向し、上記反射体（反射シート４３・反射体５４・５５・５６）の反射面は、上記導光板と上記他の導光板との間隙を上記乳半板側から覆うことが好ましい。
【０１５８】
上記構成によると、上記導光板と上記他の導光板との間隙が暗くなることを防止できる。このため、面内の輝度ムラが抑制された電飾看板を得ることができる。
【０１５９】
本発明の態様５に係る電飾看板は上記態様４において、上記反射体（反射体５４・５５・５６）の反射面（５４ａ・５４ｂ、５５ａ・５５ｂ、５６ａ・５６ｂ）は、その法線ベクトルの上記第１出射面への正射影が当該第１出射面の中心に向かう成分を有するように傾斜又は湾曲した第１反射面（５４ａ・５５ａ・５６ａ）と、その法線ベクトルの上記第２出射面への正射影が当該第２出射面の中心に向かう成分を有するように傾斜又は湾曲した第２反射面（５４ｂ・５５ｂ・５６ｂ）とにより構成されていてもよい。上記構成によると、より効率的に、上記乳半板側へ反射させることができる。このため、より、面内の輝度ムラが抑制された電飾看板を得ることができる。
【０１６０】
本発明の態様６に係る電飾看板では、上記態様１〜５において、上記光源ユニットは、液晶ディスプレイ用のバックライトユニットであることが好ましい。これにより、既存設備を有効利用することができる。
【０１６１】
また、本明細書には、「シャーシに収容された導光板を有する光源ユニットと、裏面が上記導光板の出射面と対向し、表面に電飾フィルムを貼付可能な乳半板と、を備えた電飾看板であって、上記導光板の出射面の外周部の一部は、上記シャーシから露出し、上記乳半板の裏面と対向する、ことを特徴とする電飾看板」が記載されている（図２５〜図２７参照）。このような、電飾看板によっても、輝度ムラを低減するという効果を奏する。
【０１６２】
このようなシャーシは、導光板の出射面の外周部を露出させる箇所において、バックシャーシと共に当該シャーシを構成するミドルシャーシを部分的に除去することによって実現してもよいし（図２５参照）、そのようなミドルシャーシを省略することによって実現してもよい（図２６）。また、導光板に付加される光源は、導光板の外周部のうち、シャーシから露出する部分の端面に配置されていてもよいし（図２７）、それ以外の部分の端
面に配置されていてもよい。
【０１６３】
更に、本明細書には、「シャーシに収容された導光板を有する光源ユニットと、裏面が上記導光板の出射面と対向し、表面に電飾フィルムを貼付可能な乳半板と、を備えた電飾看板であって、上記導光板の出射面の外周部の一部は、上記シャーシの透明部分を介して上記乳半板の裏面と対向する、ことを特徴とする電飾看板」が記載されている（図２３参照）。このような、電飾看板によっても、輝度ムラを低減するという効果を奏する。
【０１６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６５】
本発明は、電飾看板に利用することができる。
【符号の説明】
【０１６６】
１  フィルム（電飾フィルム）
１０・１０Ａ・４０  電飾看板
５０〜５３  電飾看板
６０〜６４、６８  電飾看板
１１  ベース部
１２  電源部
１３  乳半板・バックライトユニット固定金具
１４ａ・１４ｃ  反射シート（反射体）
１４ｂ  反射シート指示部
１５  乳半板
１６  乳半板固定金具
１７  フィルム固定金具
１８  フィルムコーナー固定金具
１９  アクリル板
２０  蓋枠
３０・３０Ａ  バックライトユニット（光源ユニット）
３０Ｂ  バックライトユニット（他の光源ユニット）
３１・３１Ａ・３１Ｂ  バックライトシャーシ
３２  反射シート
３３  ＬＥＤ基板
３４  ミドルシャーシ
３４Ａ・３４Ｂ  ミドルシャーシ
３５・３５Ａ  導光板
３５Ｂ  導光板（他の導光板）
３６・３６Ａ・３６Ｂ  導光板スペーサ
４３  反射シート
４４  反射シート支持部
４５  バックライト固定金具
５４・５５・５６  反射体
５４ａ・５５ａ・５６ａ（反射面、第１反射面）
５４ｂ・５５ｂ・５６ｂ（反射面、第２反射面）
６５・６６  光拡散シート
６６Ａ・６６Ｂ  ミドルシャーシ
６７Ａ・６７Ｂ  ミドルシャーシ
Ｌ  距離
ｄ  間隙
【図１】
2015102573.tif 000003
【図２】
2015102573.tif 000004
【図３】
2015102573.tif 000005
【図４】
2015102573.tif 000006
【図５】
2015102573.tif 000007
【図６】
2015102573.tif 000008
【図７】
2015102573.tif 000009
【図８】
2015102573.tif 000010
【図９】
2015102573.tif 000011
【図１０】
2015102573.tif 000012
【図１１】
2015102573.tif 000013
【図１２】
2015102573.tif 000014
【図１３】
2015102573.tif 000015
【図１４】
2015102573.tif 000016
【図１５】
2015102573.tif 000017
【図１６】
2015102573.tif 000018
【図１７】
2015102573.tif 000019
【図１８】
2015102573.tif 000020
【図１９】
2015102573.tif 000021
【図２０】
2015102573.tif 000022
【図２１】
2015102573.tif 000023
【図２２】
2015102573.tif 000024
【図２３】
2015102573.tif 000025
【図２４】
2015102573.tif 000026
【図２５】
2015102573.tif 000027
【図２６】
2015102573.tif 000028
【図２７】
2015102573.tif 000029
【図２８】
2015102573.tif 000030
【図２９】
2015102573.tif 000031
【図３０】
2015102573.tif 000032